(57)【特許請求の範囲】
【請求項１】
画像と前記画像が撮影された日時情報とを関連付けて記録する画像記録手段と、
前記画像を再生表示する画像表示手段と、
ユーザからの操作入力に応じて、前記画像記録手段に記録された画像を検索するための時間帯を指定するための時間帯指定手段と、
前記時間帯指定手段により指定された時間帯に撮影された画像を、前記画像の撮影日に関係なく、前記画像記録手段から取得して、前記画像表示手段に一覧表示させる表示制御手段と、
前記ユーザからの操作入力に応じて、前記画像表示手段に一覧表示された画像を選択する選択手段と、
前記選択手段により選択された画像と撮影日が同じ画像を前記画像表示手段に一覧表示させる日付単位表示手段と、
を備えることを特徴とする画像表示装置。
【請求項２】
画像と前記画像が撮影された日時情報とを関連付けて記録する画像記録手段と、
前記画像を再生表示する画像表示手段と、
ユーザからの操作入力に応じて、前記画像記録手段に記録された画像を検索するための曜日を指定するための曜日指定手段と、
前記曜日指定手段により指定された曜日に撮影された画像を、前記画像の撮影日に関係なく、前記画像記録手段から取得して、前記画像表示手段に一覧表示させる表示制御手段と、
前記ユーザからの操作入力に応じて、前記画像表示手段に一覧表示された画像を選択する選択手段と、
前記選択手段により選択された画像と撮影日が同じ画像を前記画像表示手段に一覧表示させる日付単位表示手段と、
を備えることを特徴とする画像表示装置。
【請求項３】
画像と前記画像が撮影された日時情報とを関連付けて記録する画像記録手段と、
前記画像を再生表示する画像表示手段と、
ユーザからの操作入力に応じて、前記画像記録手段に記録された画像を検索するための時間帯を指定するための時間帯指定手段と、
前記ユーザからの操作入力に応じて、前記画像記録手段に記録された画像を検索するための曜日を指定するための曜日指定手段と、
前記指定された時間帯又は曜日の少なくとも一方に基づいて、前記画像の撮影日に関係なく、前記画像記録手段から画像を取得して、前記画像表示手段に一覧表示させる表示制御手段と、
前記ユーザからの操作入力に応じて、前記画像表示手段に一覧表示された画像を選択する選択手段と、
前記選択手段により選択された画像と撮影日が同じ画像を前記画像表示手段に一覧表示させる日付単位表示手段と、
を備えることを特徴とする画像表示装置。
【請求項４】
前記時間帯指定手段は、時間帯を指定するためのゲージ又はボタンを備えることを特徴とする請求項１又は３記載の画像表示装置。
【請求項５】
前記時間帯指定手段は、前記時間帯を複数指定可能とすることを特徴とする請求項１、３及び４のいずれか１項記載の画像表示装置。
【請求項６】
前記時間帯指定手段は、前記ユーザからの操作入力に基づいて、指定可能な時間帯の幅を変更することを特徴とする請求項１、３から５のいずれか１項記載の画像表示装置。
【請求項７】
前記画像表示手段に一覧表示された画像を撮影日ごとに分類し、前記撮影日に対応する代表画像を前記画像表示手段に一覧表示させる日付代表画像表示手段を更に備えることを特徴とする請求項１から６のいずれか１項記載の画像表示装置。
【請求項８】
前記日付代表画像表示手段は、撮影日が同じ画像のうち、最も新しい画像、最も古い画像、画像中において人物の占める領域が最大又は最小の画像、指定された時間帯に撮影された複数の画像から検出された被写体のうち最も検出頻度の多い被写体を含む画像のいずれかを代表画像とすることを特徴とする請求項７記載の画像表示装置。
【請求項９】
前記画像表示手段に一覧表示された画像を選択して拡大表示する拡大表示手段を更に備えることを特徴とする請求項１から８のいずれか１項記載の画像表示装置。
【請求項１０】
請求項１から９のいずれか１項記載の画像表示装置を備えることを特徴とする撮影装置。
【請求項１１】
画像と前記画像が撮影された日時情報とを関連付けて記録する画像記録機能と、
前記画像を再生表示する画像表示機能と、
ユーザからの操作入力に応じて、前記画像記録機能により記録された画像を検索するための時間帯を指定するための時間帯指定機能と、
前記時間帯指定機能により指定された時間帯に撮影された画像を、前記画像の撮影日に関係なく、前記画像記録機能により記録された画像の中から取得して、前記画像表示機能により一覧表示させる表示制御機能と、
前記ユーザからの操作入力に応じて、前記一覧表示された画像を選択する選択機能と、
前記選択機能により選択された画像と撮影日が同じ画像を一覧表示させる日付単位表示機能と、
をコンピュータに実現させることを特徴とする表示制御プログラム。
【請求項１２】
画像と前記画像が撮影された日時情報とを関連付けて記録する画像記録機能と、
前記画像を再生表示する画像表示機能と、
ユーザからの操作入力に応じて、前記画像記録機能により記録された画像を検索するための曜日を指定するための曜日指定機能と、
前記曜日指定機能により指定された曜日に撮影された画像を、前記画像の撮影日に関係なく、前記画像記録機能により記録された画像の中から取得して、前記画像表示機能により一覧表示させる表示制御機能と、
前記ユーザからの操作入力に応じて、前記一覧表示された画像を選択する選択機能と、
前記選択機能により選択された画像と撮影日が同じ画像を一覧表示させる日付単位表示機能と、
をコンピュータに実現させることを特徴とする表示制御プログラム。
【請求項１３】
画像と前記画像が撮影された日時情報とを関連付けて記録する画像記録機能と、
前記画像を再生表示する画像表示機能と、
ユーザからの操作入力に応じて、前記画像記録機能に記録された画像を検索するための時間帯を指定するための時間帯指定機能と、
前記ユーザからの操作入力に応じて、前記画像記録機能に記録された画像を検索するための曜日を指定するための曜日指定機能と、
前記指定された時間帯又は曜日の少なくとも一方に基づいて、前記画像の撮影日に関係なく、前記画像記録機能により記録された画像の中から取得して、前記画像表示機能により一覧表示させる表示制御機能と、
前記ユーザからの操作入力に応じて、前記一覧表示された画像を選択する選択機能と、
前記選択機能により選択された画像と撮影日が同じ画像を一覧表示させる日付単位表示機能と、
をコンピュータに実現させることを特徴とする表示制御プログラム。
【請求項１４】
前記一覧表示された画像を撮影日ごとに分類し、前記撮影日に対応する代表画像を一覧表示させる日付代表画像表示機能をコンピュータに実現させることを特徴とする請求項１１から１３のいずれか１項記載の表示制御プログラム。
【請求項１５】
前記日付代表画像表示機能は、撮影日が同じ画像のうち、最も新しい画像、最も古い画像、画像中において人物の占める領域が最大又は最小の画像、指定された時間帯に撮影された複数の画像から検出された被写体のうち最も検出頻度の多い被写体を含む画像のいずれかを代表画像とすることを特徴とする請求項１４記載の表示制御プログラム。
【請求項１６】
前記一覧表示された画像を選択して拡大表示する拡大表示機能をコンピュータに実現させることを特徴とする請求項１１から１５のいずれか１項記載の表示制御プログラム。
【発明の詳細な説明】
【技術分野】
【０００１】
本発明は画像表示装置、表示制御プログラム及び撮影装置に係り、特に複数の画像の表示に適した画像表示装置等に関する。
【背景技術】
【０００２】
従来、時刻と対応付けられたデータを記録媒体から取得してデータ表示を行う表示方法において、データに対応付けられた時刻に基づいてデータを時系列順に略円状に並べるように展開して表示させることが提案されている（特許文献１）。特許文献２には、複数の画像を縮小させて画面中に表示する場合に、複数の画像を、それぞれの画像に関連した時刻を付加させて記憶し、画面上に時間軸を設定して、各画像に付加された時刻に対応した時間軸の位置の近傍に、それぞれの画像を配置させる表示方法について開示されている。また、特許文献３には、時計と撮影画像とを連動させて表示する時計と画像の連動表示方法、及びカレンダと撮影画像とを連動させて表示するカレンダと時計の連動表示方法について開示されている。
【特許文献１】特開２００３−８５５３０号公報
【特許文献２】特開２００４−３２８２６５号公報
【特許文献３】特開２００５−１３０２７５号公報
【発明の開示】
【発明が解決しようとする課題】
【０００３】
近年、デジタルカメラ等の画像を記録する記録装置において、記録可能な容量が増加し、蓄積可能な画像データの枚数が増大している。このため、撮影した画像を検索することが困難になっている。上記特許文献１から３に記載の技術では、日、週、月、年をまたがる画像データの中から所望のものを選び出すことは困難であった。また、画像を検索する際に、年、月、週、日を選択する必要があり、ユーザにとって操作が面倒であるという問題があった。
【０００４】
本発明はこのような事情に鑑みてなされたもので、記録された大量の画像の中から所望の画像を選び出すことが容易な画像表示装置、表示制御プログラム及び撮影装置を提供することを目的とする。
【課題を解決するための手段】
【０００５】
上記課題を解決するために、本発明の第１の態様に係る画像表示装置は、画像と前記画像が撮影された日時情報とを関連付けて記録する画像記録手段と、前記画像を再生表示する画像表示手段と、ユーザからの操作入力に応じて、前記画像記録手段に記録された画像を検索するための時間帯を指定するための時間帯指定手段と、前記時間帯指定手段により指定された時間帯に撮影された画像を、前記画像の撮影日に関係なく、前記画像記録手段から取得して、前記画像表示手段に一覧表示させる表示制御手段と、前記ユーザからの操作入力に応じて、前記画像表示手段に一覧表示された画像を選択する選択手段と、前記選択手段により選択された画像と撮影日が同じ画像を前記画像表示手段に一覧表示させる日付単位表示手段とを備えることを特徴とする。
【０００６】
上記第１の態様によれば、撮影時期に関するユーザの記憶が曖昧な場合であっても、画像を撮影した時間帯を指定することにより、画像記録手段に記録された大量の画像の中から所望の画像を容易に選び出すことができる。更に、上記第１の態様によれば、一覧表示画像や代表画像を選択することにより、選択された画像と撮影日で画像を選び出すことができる。
【０００７】
本発明の第２の態様に係る画像表示装置は、画像と前記画像が撮影された日時情報とを関連付けて記録する画像記録手段と、前記画像を再生表示する画像表示手段と、ユーザからの操作入力に応じて、前記画像記録手段に記録された画像を検索するための曜日を指定するための曜日指定手段と、前記曜日指定手段により指定された曜日に撮影された画像を、前記画像の撮影日に関係なく、前記画像記録手段から取得して、前記画像表示手段に一覧表示させる表示制御手段と、前記ユーザからの操作入力に応じて、前記画像表示手段に一覧表示された画像を選択する選択手段と、前記選択手段により選択された画像と撮影日が同じ画像を前記画像表示手段に一覧表示させる日付単位表示手段とを備えることを特徴とする。
【０００８】
上記第２の態様によれば、撮影時期に関するユーザの記憶が曖昧な場合であっても、画像を撮影した曜日を指定することにより、画像記録手段に記録された大量の画像の中から所望の画像を容易に選び出すことができる。
【０００９】
本発明の第３の態様に係る画像表示装置は、画像と前記画像が撮影された日時情報とを関連付けて記録する画像記録手段と、前記画像を再生表示する画像表示手段と、ユーザからの操作入力に応じて、前記画像記録手段に記録された画像を検索するための時間帯を指定するための時間帯指定手段と、前記ユーザからの操作入力に応じて、前記画像記録手段に記録された画像を検索するための曜日を指定するための曜日指定手段と、前記指定された時間帯又は曜日の少なくとも一方に基づいて、前記画像の撮影日に関係なく、前記画像記録手段から画像を取得して、前記画像表示手段に一覧表示させる表示制御手段と、前記ユーザからの操作入力に応じて、前記画像表示手段に一覧表示された画像を選択する選択手段と、前記選択手段により選択された画像と撮影日が同じ画像を前記画像表示手段に一覧表示させる日付単位表示手段とを備えることを特徴とする。
【００１０】
上記第３の態様によれば、撮影時期に関するユーザの記憶が曖昧な場合であっても、画像を撮影した時間帯と曜日のいずれか又は両方を指定することにより、画像記録手段に記録された大量の画像の中から所望の画像を容易に選び出すことができる。
【００１１】
本発明の第４の態様に係る画像表示装置は、上記第１又は第３の態様において、前記時間帯指定手段としては、時間帯を指定するためのゲージ又はボタンを用いることができる。
本発明の第５の態様に係る画像表示装置は、上記第１、第３及び第４の態様において、前記時間帯指定手段は、前記時間帯を複数指定可能とすることを特徴とする。
本発明の第６の態様に係る画像表示装置は、上記第１、第３から第５の態様において、前記時間帯指定手段は、前記ユーザからの操作入力に基づいて、指定可能な時間帯の幅を変更することを特徴とする。
【００１２】
本発明の第７の態様に係る画像表示装置は、上記第１から第６の態様において、前記画像表示手段に一覧表示された画像を撮影日ごとに分類し、前記撮影日に対応する代表画像を前記画像表示手段に一覧表示させる日付代表画像表示手段を更に備えることを特徴とする。
【００１３】
上記第７の態様によれば、画像表示手段に一覧表示された画像を日付ごとの代表画像としてまとめて表示することができる。これにより、時間帯や曜日により検索された画像が大量にあっても日付ごとの代表画像とすることで画像の検索が容易になる。
【００１４】
本発明の第８の態様に係る画像表示装置は、上記第７の態様において、前記日付代表画像表示手段は、撮影日が同じ画像のうち、最も新しい画像、最も古い画像、画像中において人物の占める領域が最大又は最小の画像、指定された時間帯に撮影された複数の画像から検出された被写体のうち最も検出頻度の多い被写体を含む画像のいずれかを代表画像とすることを特徴とする。
【００１５】
上記第８の態様によれば、撮影日の最初又は最後に撮影され、ユーザの記憶に残りやすい画像や、被写体の人物に特徴のある画像、当該撮影日に最も多く撮影された被写体を含む画像を代表画像とすることにより、画像の検索性能を向上させることができる。
【００１８】
本発明の第９の態様に係る画像表示装置は、上記第１から第８の態様において、前記画像表示手段に一覧表示された画像を選択して拡大表示する拡大表示手段を更に備えることを特徴とする。
【００１９】
上記第９の態様によれば、一覧表示された画像を拡大して表示することができる。
【００２０】
本発明の第１０の態様に係る撮影装置は、上記第１から第９の態様に係る画像表示装置を備えることを特徴とする。
【００２１】
本発明の第１１の態様に係る表示制御プログラムは、画像と前記画像が撮影された日時情報とを関連付けて記録する画像記録機能と、前記画像を再生表示する画像表示機能と、ユーザからの操作入力に応じて、前記画像記録機能により記録された画像を検索するための時間帯を指定するための時間帯指定機能と、前記時間帯指定機能により指定された時間帯に撮影された画像を、前記画像の撮影日に関係なく、前記画像記録機能により記録された画像の中から取得して、前記画像表示機能により一覧表示させる表示制御機能と、前記ユーザからの操作入力に応じて、前記一覧表示された画像を選択する選択機能と、前記選択機能により選択された画像と撮影日が同じ画像を一覧表示させる日付単位表示機能とをコンピュータに実現させることを特徴とする。
【００２２】
本発明の第１２の態様に係る表示制御プログラムは、画像と前記画像が撮影された日時情報とを関連付けて記録する画像記録機能と、前記画像を再生表示する画像表示機能と、ユーザからの操作入力に応じて、前記画像記録機能により記録された画像を検索するための曜日を指定するための曜日指定機能と、前記曜日指定機能により指定された曜日に撮影された画像を、前記画像の撮影日に関係なく、前記画像記録機能により記録された画像の中から取得して、前記画像表示機能により一覧表示させる表示制御機能と、前記ユーザからの操作入力に応じて、前記一覧表示された画像を選択する選択機能と、前記選択機能により選択された画像と撮影日が同じ画像を一覧表示させる日付単位表示機能とをコンピュータに実現させることを特徴とする。
【００２３】
本発明の第１３の態様に係る表示制御プログラムは、画像と前記画像が撮影された日時情報とを関連付けて記録する画像記録機能と、前記画像を再生表示する画像表示機能と、ユーザからの操作入力に応じて、前記画像記録機能に記録された画像を検索するための時間帯を指定するための時間帯指定機能と、前記ユーザからの操作入力に応じて、前記画像記録機能に記録された画像を検索するための曜日を指定するための曜日指定機能と、前記指定された時間帯又は曜日の少なくとも一方に基づいて、前記画像の撮影日に関係なく、前記画像記録機能により記録された画像の中から取得して、前記画像表示機能により一覧表示させる表示制御機能と、前記ユーザからの操作入力に応じて、前記一覧表示された画像を選択する選択機能と、前記選択機能により選択された画像と撮影日が同じ画像を一覧表示させる日付単位表示機能とをコンピュータに実現させることを特徴とする。
【００２４】
本発明の第１４の態様に係る表示制御プログラムは、上記第１１から第１３の態様において、前記一覧表示された画像を撮影日ごとに分類し、前記撮影日に対応する代表画像を一覧表示させる日付代表画像表示機能をコンピュータに実現させることを特徴とする。
【００２５】
本発明の第１５の態様に係る表示制御プログラムは、上記第１４の態様において、前記日付代表画像表示機能は、撮影日が同じ画像のうち、最も新しい画像、最も古い画像、画像中において人物の占める領域が最大又は最小の画像、指定された時間帯に撮影された複数の画像から検出された被写体のうち最も検出頻度の多い被写体を含む画像のいずれかを代表画像とすることを特徴とする。
【００２７】
本発明の第１６の態様に係る表示制御プログラムは、上記第１１から第１５の態様において、前記一覧表示された画像を選択して拡大表示する拡大表示機能をコンピュータに実現させることを特徴とする。
【００２８】
上記の各態様に係る表示制御プログラムを含むソフトウェアやファームウェアを、撮影装置のほか、パーソナルコンピュータ（ＰＣ）やビデオ再生装置（ビデオデッキ、テレビ）、画像表示機能を有するプリンタ、携帯情報端末（ＰＤＡ）、携帯フォトプレーヤー、携帯電話等の画像表示機能を有する装置に適用することにより、本発明の画像表示装置や撮影装置を実現することができる。
【発明の効果】
【００２９】
本発明によれば、撮影時期に関するユーザの記憶が曖昧な場合であっても、年、月、週、日等の細かな検索条件の設定を行うことなく、画像を撮影した時間帯や曜日等の大まかな検索条件を指定することにより、記録された大量の画像の中から所望の画像を容易に選び出すことができる。
【発明を実施するための最良の形態】
【００３０】
以下、添付図面に従って本発明に係る画像表示装置、表示制御プログラム及び撮影装置の好ましい実施の形態について説明する。
【００３１】
［撮影装置の構成］
図１は、本発明の一実施形態に係る画像表示装置を備えた撮影装置の外観を示す斜視図である。図１に示すように、撮影装置（デジタルカメラ）１０のカメラボディ１２は、扁平状の四角い箱型に形成されている。カメラボディ１２の前面には、レンズが組み込まれたレンズ鏡筒１４が設けられている。また、カメラボディ１２の上面には、レリーズボタン１６及び電源スイッチ１８が設けられている。カメラボディ１２の背面には、表示部（液晶モニタ）２０、ファインダ接眼窓２２、動作モード切替スイッチ２４、汎用キー２６、ＭＥＮＵ／ＯＫボタン２８、キャンセルボタン３０、ディスプレイボタン３２及びファンクションボタン３４が設けられている。
【００３２】
電源スイッチ１８は、スライド式のスイッチであり、撮影装置１０の電源は、電源スイッチ１８をスライド操作することによりＯＮ／ＯＦＦされる。
【００３３】
レリーズボタン１６は、いわゆる「半押し」と「全押し」とからなる２段ストロークタイプのボタンで構成されており、「半押し」でＡＦ（Auto Focus：自動焦点合わせ）、ＡＥ（Auto Exposure：自動露出）が機能し、「全押し」で撮影が実行される。
【００３４】
モードスイッチ２４は、撮影装置１０の動作モードを切り替えるスイッチとして機能し、その設定位置によって、静止画の撮影を行なう「静止画撮影モード」と、動画の撮影を行なう「動画撮影モード」と、撮影した画像を再生する「再生モード」とに切り替えられる。
【００３５】
液晶モニタ２０は、再生モード時には画像の再生用モニタとして機能するとともに、静止画又は動画撮影モード時にはフレーミング用のスルー画を表示する電子ビューファインダとして機能する。ディスプレイボタン３２は、この液晶モニタ２０のＯＮ／ＯＦＦ切替ボタンとして機能する。また、液晶モニタ２０は、ユーザインターフェース用表示画面としても利用され、必要に応じてメニュー情報や選択項目、設定内容等の情報が表示される。なお、液晶モニタ２０に代えて、有機ＥＬ（electro-luminescence）等の他の方式の表示装置を用いることも可能である。
【００３６】
ＭＥＮＵ／ＯＫボタン２８は、メニュー画面の表示を指示するボタンとして機能し、このＭＥＮＵ／ＯＫボタン２８が押されることにより、各動作モードからセットアップモードに移行し、液晶モニタ２０に設定画面が表示される。上記セットアップモードでは、露出値、色合い、ＩＳＯ感度、記録画素数等の画質調整に関する項目や、セルフタイマーの設定、測光方式の切替、デジタルズームを使用するか否か等の調整項目の設定が行われる。上記セットアップモードにおいて、ＭＥＮＵ／ＯＫボタン２８は、選択した項目の確定や動作の実行を指示するボタンとして機能し、キャンセルボタン３０は、設定画面において選択した項目の取消や１つ前の状態に戻すことを指示するボタンとして機能する。
【００３７】
汎用キー２６は、再生モード時に再生する画像を選択したり、設定画面において項目を選択するためのカーソルを移動するカーソルシフトキーとして機能する。汎用キー２６は、カーソルを左右方向に移動させる左シフトキー２６Ａ及び右シフトキー２６Ｃと、カーソルを上下方向に移動させる上下シフトキー２６Ｂとから構成される。なお、左シフトキー２６Ａ及び右シフトキー２６Ｃは押しボタンにより構成され、上下シフトキー２６Ｂは上下方向に揺動自在なシーソーボタンにより構成される。
【００３８】
また、上下シフトキー２６Ｂは、静止画又は動画撮影モード時にはズーム操作用の操作ボタンとして機能する。即ち、静止画又は動画撮影モードの下、ズームボタンを上方向に操作することにより、ズームがテレ方向に操作され、下方向に操作することにより、ズームがワイド方向に操作される。
【００３９】
また、上下シフトキー２６Ｂは、再生モードの下、再生画像のズームボタンとしても機能する。即ち、再生モードの下、上下シフトキー２６Ｂを上方向に操作することにより、再生画像が拡大表示され、下方向に操作することにより、再生画像が縮小表示される。
【００４０】
また、再生モードの下、左シフトキー２６Ａは、コマ戻しボタン（１コマ前の画像が表示されるように指示するボタン）として機能し、右シフトキー２６Ｃは、コマ送りボタン（１コマ後の画像が表示されるように指示するボタン）として機能する。
【００４１】
左シフトキー２６Ａは、静止画又は動画撮影モードの下、マクロ機能（接写機能）のＯＮ／ＯＦＦを切り替えるボタンとして機能し、左シフトキー２６Ａを押圧操作することにより、マクロ機能がＯＮ又はＯＦＦされる。
【００４２】
また、右シフトキー２６Ｃは、静止画又は動画撮影モードの下、フラッシュモードを切り替えるボタンとして機能し、右シフトキー２６Ｃを押圧操作することにより、フラッシュモードがフラッシュ発光／発光禁止の各モードに設定される。
【００４３】
図２は、撮影装置１０の主要構成を示すブロック図である。図２に示すように、ＣＰＵ５０は、バス５２を介して撮影装置１０内の各部に接続されており、操作部５４等からの操作入力に基づいて撮影装置１０の動作を制御する統括制御部である。操作部５４は、レリーズボタン１６や電源スイッチ１８、動作モード切替スイッチ２４、汎用キー２６、ＭＥＮＵ／ＯＫボタン２８、キャンセルボタン３０、ディスプレイボタン３２、ファンクションボタン３４等を含んでおり、ユーザからの操作入力を受け付ける操作部材である。
【００４４】
電源制御回路５６は、ＣＰＵ５０の制御の下、電源電池（バッテリ）５８から供給される電力を撮影装置１０の各部に供給する。
【００４５】
メモリ６０は、メモリ制御部６２によって制御され、ＣＰＵ５０が処理するプログラム及び制御に必要な各種データ等が格納されるＲＯＭや、ＣＰＵ５０が各種の演算処理等を行う作業用領域及び画像処理領域となるＳＤＲＡＭ等を有している。
【００４６】
タイマ６４は、ＣＰＵ５０からの指令に基づいて時間を計測する。カレンダ・時計部６６は、ＣＰＵ５０からの指令に基づいて現在の年月日及び時刻を計測する。
【００４７】
外部通信インターフェース部（外部通信Ｉ／Ｆ）６８は、ネットワークや外部出力機器（例えば、パーソナルコンピュータやテレビジョン、ディスプレイ、プリンタ、外部記録装置）等と接続するための機器で、所定のプロトコルにしたがって各種データの送受信を行う。なお、データの送受信の方式としては、例えば、ＵＳＢやＩＥＥＥ１３９４、有線ＬＡＮ、赤外線通信（ＩｒＤＡ）、Bluetooth（登録商標）等を用いることができる。
【００４８】
撮像素子７２は、光学系（レンズを含む）７０を介して入射した光を受け止めて電気信号に変換する素子であり、例えば、ＣＣＤである。この電気信号は、図示せぬプリアンプによって増幅され、Ａ／Ｄ変換器７４によってデジタル信号に変換されて、画像処理部７６に入力される。
【００４９】
撮影モード時には、画像処理部７６によって撮像素子７２から出力された電気信号が処理されて画角確認用の画像データ（スルー画）が作成され、液晶モニタ２０に表示される。レリーズボタン１６が操作されて画像が撮影されると、撮像素子７２から出力された電気信号が画像処理部７６によって処理されて記憶用の静止画ファイルが作成される。この記憶用の静止画ファイルは、記録メディア７８に所定のファイル形式（例えば、ＪＰＥＧ形式）で記憶される。ここで、記録メディア７８は、例えば、半導体メモリ等であり、記録メディア７８への入出力は外部メモリ制御部８０によって制御される。
【００５０】
また、撮影モード時には、ＣＰＵ５０は、Ｓ１ＯＮ時のＡＥ制御や右シフトキー２６Ｃ（フラッシュボタン）からの操作入力に応じて、フラッシュ制御回路８２に制御信号を送信する。フラッシュ制御回路８２は、図示しないメインコンデンサの充電制御や、フラッシュ発光部８４（例えば、キセノン管）への放電（発光）タイミングの制御等を行う。
【００５１】
また、動画撮影モード時には、音声付き動画の記録が可能となり、レリーズボタン１６の押下によって録画動作がスタートし、レリーズボタン１６を再度押下すると録画動作が停止する。こうして記録された動画像は、画像処理部７６によって処理されて記憶用の動画ファイルが作成される。この記憶用の動画ファイルは、記録メディア７８に所定のファイル形式（例えば、ＭＰＥＧ形式）で記憶される。なお、レリーズボタン１６の押下継続期間に録画動作を行い、押下解除により録画を停止するようにしてもよい。
【００５２】
一方、再生モード時には、画像処理部７６によって記録メディア７８に記憶された画像データが読み出されて表示用の画像データが作成されて液晶モニタ２０に表示される。
【００５３】
［画像検索画面の構成］
次に、再生モード時に、記録メディア７８に記録された画像を検索するための画像検索画面の構成について、図３を参照して説明する。図３は、画像検索画面のデフォルトの状態を示す図である。図３に示す画像検索画面１００は、画像を検索する際のＧＵＩ（Graphical User Interface）として用いられるものであり、画像検索画面１００の中央には、検索された画像が一覧表示される画像表示領域１０２が設けられている。画像表示領域１０２には、画像が新しいものから順番に表示される。各縮小画像１０２Ａには、画像の撮影日時が付されている。縮小画像１０２Ａのうち選択状態のものには赤い太枠が付される。デフォルトでは左上の縮小画像１０２Ａが選択状態となる。なお、選択状態は、赤い太枠のほか、画像にマーク等を付すことにより示すようにしてもよい。
【００５４】
画像検索画面１００の上側には、時間帯選択ボックス１０４、閲覧モード選択ボックス１０６及び曜日選択ボックス１０８が配置されている。また、画像検索画面１００の右端には、上から順に、ページ数表示欄１１０、情報表示欄１１２、時間帯ゲージ１１４が配置されている。
【００５５】
時間帯選択ボックス１０４は、画像が撮影された日付に関わりなく、画像が撮影された時間帯の情報により画像を検索するための操作部材として機能する。汎用キー２６及びＭＥＮＵ／ＯＫボタン２８により時間帯選択ボックス１０４が選択されると、時間帯ゲージ１１４が操作可能になり、時間帯選択インデックス１１４Ａを上下シフトキー２６Ｂにより上下に移動させることにより、画像の検索に用いる時間帯が指定される。時間帯選択インデックス１１４Ａにより選択される時間帯の幅は、時間帯選択インデックス１１４Ａを選択した状態でＭＥＮＵ／ＯＫボタン２８を押下することにより変更可能である。また、時間帯選択インデックス１１４Ａは複数設けることができ、例えば、９：００〜１０：００と、１２：００〜１４：００の時間帯に撮影された画像を検索して表示可能である。
【００５６】
なお、図３では、時間帯ゲージ１１４の幅は０：００から２４：００の２４時間であるが、時間帯ゲージ１１４の幅を変更可能にしてもよい。例えば、時間帯ゲージ１１４の幅を、秒、分、時、日、週、月、年に設定できるようにしてもよい。
【００５７】
閲覧モード選択ボックス１０６は、画像表示領域１０２における画像の表示形態を設定するための操作部材として機能し、「日付」ボタン１０６Ａ及び「１日」ボタン１０６Ｂを備えている。「日付」ボタン１０６Ａが選択された場合には、ＣＰＵ５０により、記録メディア７８に記録された画像が撮影日ごとに分類され、撮影日ごとの代表画像が選択されて画像表示領域１０２に一覧表示される（日付代表表示モード）。なお、代表画像とは、例えば、最も新しい画像又は最も古い画像、画像中において人物の占める領域が最大又は最小の画像、同じ日に撮影された複数の画像から検出された被写体のうち最も検出頻度の多い被写体を含む画像（その日に最も多く写された被写体の画像）等である。一方、「１日」ボタン１０６Ｂが選択された場合には、ＣＰＵ５０により、画像表示領域１０２において選択されている縮小画像１０２Ａと撮影日が同じ画像が記録メディア７８から読み出されて、画像表示領域１０２に一覧表示される（１日表示モード）。
【００５８】
曜日選択ボックス１０８は、画像が撮影された日付に関わりなく、画像が撮影された曜日の情報により画像を検索するための操作部材として機能し、「月」、「火」、「水」、「木」、「金」、「土」及び「日」の曜日に対応するアイコン（曜日ボタン）を備えている。曜日ボタンが選択されると、ＣＰＵ５０により、記録メディア７８に記録された画像の中から、選択された曜日に撮影された画像が撮影日に関わりなく選択されて画像表示領域１０２に一覧表示される。
【００５９】
ページ数表示欄１１０には、画像表示領域１０２のページ数が（現在のページ数）／（総ページ数）の形式で表示される。図３では、「１／２５」と表示されており、画像表示領域１０２の総ページ数が２５ページのうち、１ページ目が表示されていることを示している。
【００６０】
情報表示欄１１２には、上記の各操作部材の設定内容に応じて、時間帯ゲージ１１４により指定されている時間帯や、「１日」ボタン１０６Ｂにより選択された撮影日、曜日選択ボックス１０８により指定された曜日等が表示される。
【００６１】
［画像検索の態様］
以下、画像検索画面１００を用いた画像検索の態様について、図４以降を参照して説明する。図４は、時間帯選択ボックス１０４が選択された状態を示す図である。時間帯選択ボックス１０４が汎用キー２６により選択されてＭＥＮＵ／ＯＫボタン２８が押下されると、図４に示すように、時間帯選択ボックス１０４が反転表示されて、時間帯ゲージ１１４が操作可能になる。なお、時間帯選択ボックス１０４が汎用キー２６及びＭＥＮＵ／ＯＫボタン２８により再度選択されると、選択状態が解除される。時間帯選択インデックス１１４Ａが上下シフトキー２６Ｂにより上下に移動してＭＥＮＵ／ＯＫボタン２８が押下されると、時間帯選択インデックス１１４Ａの位置が確定する。図４に示すように、時間帯選択インデックス１１４Ａにより指定された時間帯に撮影された画像が、撮影日に関わりなく検索されて画像表示領域１０２に一覧表示（縮小表示）される。画像表示領域１０２において、縮小画像１０２Ａは、例えば、新しい画像から順に表示される。また、図４に示すように、ページ数表示欄１１０には、ページ数「１／６」が表示されるとともに、情報表示欄１１２には、時間帯選択インデックス１１４Ａによって指定された時間帯「９：００〜１０：００」が表示される。なお、図４において、縮小画像１０２Ａの近傍（右下）には、撮影日が表示されているが、撮影時間又は撮影日と撮影時間の両方を表示するようにしてもよいし、何も表示しなくてもよい。
【００６２】
図５は、画像の拡大表示を示す図である。画像表示領域１０２に表示された縮小画像１０２Ａが汎用キー２６により選択されて、ＭＥＮＵ／ＯＫボタン２８が押下されると、図５の符号１１６に示すように、選択された縮小画像１０２Ａに対応する画像が画像検索画面１００の上に重ねて拡大表示される。
【００６３】
図６は、日付代表表示モードを示す図である。図４に示したデフォルトの状態において、閲覧モード選択ボックス１０６の「日付」ボタン１０６Ａが汎用キー２６により選択されてＭＥＮＵ／ＯＫボタン２８が押下されると、図６に示すように、「日付」ボタン１０６Ａが反転表示されるとともに、ＣＰＵ５０により、記録メディア７８に記録された画像が、撮影日ごとに分類されて、各日付の代表画像が画像表示領域１０２に一覧表示される。また、図６に示すように、時間帯選択ボックス１０４と「日付」ボタン１０６Ａがともに選択されると、時間帯ゲージ１１４において指定された時間帯に撮影された画像が、撮影日ごとに分類されて、時間帯ゲージ１１４において指定された時間帯に撮影された画像の中から選択された各日付の代表画像が画像表示領域１０２に一覧表示される。なお、代表画像は、上記と同様に、例えば、最も新しい画像又は最も古い画像、画像中において人物の占める領域が最大又は最小の画像、指定された時間帯に撮影された複数の画像から検出された被写体のうち最も検出頻度の多い被写体を含む画像等である。図６に示した状態において、上記代表画像の縮小画像１０２Ａが汎用キー２６により選択されてＭＥＮＵ／ＯＫボタン２８が押下され、閲覧モード選択ボックス１０６の「１日」ボタン１０６Ｂが選択された場合には、選択された代表画像と撮影日が同じ画像が画像表示領域１０２に一覧表示される。このとき、情報表示欄１１２には、選択された代表画像の撮影日を示す「０５／１１／２４」が表示される。
【００６４】
図７は、１日表示モードを示す図である。図４に示したデフォルトの状態において、画像表示領域１０２に表示された縮小画像１０２Ａが選択されて「１日」ボタン１０６Ｂが選択されると、図７に示すように、選択された縮小画像１０２Ａと同じ日に撮影された画像が全て画像表示領域１０２に一覧表示される。このとき、情報表示欄１１２には、選択された代表画像の撮影日を示す「０５／１１／２４」が表示される。
【００６５】
図８は、図７の１日表示モードにおいて時間帯選択ボックス１０４が選択された状態を示す図である。図８に示すように、「１日」ボタン１０６Ｂが選択された後、時間帯選択ボックス１０４が選択されて時間帯ゲージ１１４により時間帯が指定された場合、選択された撮影日「０５／１１／２４」に撮影された画像のうち、指定された時間帯（９：００〜１０：００）に撮影された画像が画像表示領域１０２に一覧表示される。このとき、情報表示欄１１２には、指定された撮影日時を示す「０５／１１／２４」及び「９：００〜１０：００」が表示される。なお、図８に示す例では、例えば、指定された時間帯以降（即ち、９：００以降）の画像が全て画像表示領域１０２に一覧表示されるようにしてもよい。
【００６６】
図９は、図８において時間帯選択インデックス１１４Ａをシフトさせた状態を示す図である。図８において、時間帯選択インデックス１１４Ａが上下シフトキー２６Ｂにより上にシフトして、時間帯「７：００〜８：００」が指定されると、図９に示すように、この時間帯に撮影された画像が画像表示領域１０２に一覧表示されるとともに、情報表示欄１１２の表示が更新される。
【００６７】
図１０は、時間帯選択インデックス１１４Ａの幅を変更した状態を示す図である。図１０に示す例では、時間帯選択インデックス１１４Ａによって選択される時間帯の幅が３時間に変更されている。時間帯選択インデックス１１４Ａの幅を変更する場合には、例えば、汎用キー２６により時間帯選択インデックス１１４Ａを選択し、ＭＥＮＵ／ＯＫボタン２８を押下して時間帯幅の設定画面を表示させて幅を変更する。また、同様にして、時間帯ゲージ１１４内に複数の時間帯選択インデックス１１４Ａを設定することもできる。
【００６８】
図１１は、画像が撮影された曜日により画像を検索する例を示す図である。図１１に示すように、曜日選択ボックス１０８の「木」ボタンが選択された場合、「木」ボタンが反転表示されるとともに、木曜日に撮影された画像が、撮影日に関わりなく検索されて、画像表示領域１０２に一覧表示される。「木」ボタンとともに、時間帯選択ボックス１０４が更に選択されると、木曜日に撮影された画像のうち、時間帯ゲージ１１４により指定された時間帯「９：００〜１０：００」に撮影された画像が画像表示領域１０２に一覧表示される。なお、曜日選択ボックス１０８の曜日ボタンは、同時に複数選択することもできる。
【００６９】
また、図１１において、「日付」ボタン１０６Ａが更に選択されると、図１２に示すように、木曜日の時間帯「９：００〜１０：００」に撮影された画像が、撮影日に関わりなく検索される。そして、検索された画像が撮影日ごとに分類されて、各日付の代表画像が画像表示領域１０２に一覧表示される。
【００７０】
なお、本実施形態では、時間帯選択ボックス１０４、閲覧モード選択ボックス１０６及び曜日選択ボックス１０８等が選択された場合には、文字が反転表示されるが、例えば、マークやアイコン等を付すことにより、各操作部材が選択されたことを示してもよい。
【００７１】
また、本実施形態では、時間帯を指定するために時間帯ゲージ１１４を用いたが、例えば、図１３に示すように、時間帯選択ボタン１１８を用いるようにしてもよい。時間帯選択ボタン１１８は、同時に複数選択可能である。なお、図１３に示す例では、時間帯選択ボタン１１８により、３時間単位で時間帯を指定可能であるが、指定可能な時間帯の幅はセットアップモード等において変更可能にしてもよい。
【００７２】
また、本実施形態では、画像検索画面１００を操作するための操作部材として、液晶モニタ２０の表面にタッチパネルを設けてもよい。この場合、時間帯の選択や絞り込み項目（曜日日付）の選択を直感的に行えるため、本発明の画像再生装置に好適である。
【００７３】
なお、本実施形態では、画像を検索するために撮影された曜日を用いたが、例えば、祝祭日や六曜、節気等を用いてもよい。また、ユーザが個人の誕生日や記念日、夏休み、冬休み等をカレンダ・時計部６６に記憶させて、検索条件として使用できるようにしてもよい。
【００７４】
［画像検索処理の流れ］
次に、画像検索画面１００を用いて画像を検索する際のＣＰＵ５０における処理の流れについて、図１４のフローチャートを参照して説明する。まず、ＣＰＵ５０により、動作モード切替スイッチ２４の位置を検出して動作モードの設定が判断される（ステップＳ１０）。動作モードが再生モードの場合に（ステップＳ１０のＹｅｓ）、デフォルトの再生モードにより記録メディア７８に記録された画像が表示される。次に、ディスプレイボタン３２が押下されると（ステップＳ１２のＮｏ）、再生モードの選択が可能になり、画像検索再生モードが選択されると（ステップＳ１４のＹｅｓ）、デフォルトの再生モードから、画像検索画面１００を用いた画像検索再生モードに移行する。なお、その他の再生モードがある場合には、ステップＳ１４においてその他の再生モードを選択可能である。
【００７５】
次に、ＣＰＵ５０により、記録メディア７８に記録された画像が読み出されて新しい順に配列される（ステップＳ１６）。そして、画像検索画面１００が液晶モニタ２０に表示されるとともに、記録メディア７８から読み出された画像が検索画面１００の画像表示領域１０２に新しい順に一覧表示される（ステップＳ１８、図３参照）。また、画像検索画面１００のページ数表示欄１１０にページ数が表示される（ステップＳ２０）。なお、ステップＳ２０では、画像の数が多く、画像表示領域１０２の１ページに収まりきらない場合に、ページ数が複数であることを示すマーク（例えば、ページを切り替えるためのボタン等）を表示するようにしてもよい。
【００７６】
次に、画像を検索するための検索条件が選択される（ステップＳ２２からＳ２８）。上記したように、検索条件の選択は、時間帯選択ボックス１０４（ステップＳ２２）、曜日選択ボックス１０８（ステップＳ２４）、「日付」ボタン１０６Ａ（ステップＳ２６）又は「１日」ボタン１０６Ｂ（ステップＳ２８）のいずれかを汎用キー２６により選択してＭＥＮＵ／ＯＫボタン２８を押下することにより実行される。なお、上記の時間帯選択ボックス１０４や曜日選択ボックス１０８、「日付」ボタン１０６Ａ、「１日」ボタン１０６Ｂ等の操作部材の選択を解除するには、選択された操作部材を再度選択するとよい。
【００７７】
次に、ステップＳ２２からＳ２８において選択された検索条件により画像が検索され（ステップＳ３０）、ＣＰＵ５０により、検索条件に合致する画像（該当画像）の有無が判断される（ステップＳ３２）。そして、該当画像がある場合には（ステップＳ３２のＹｅｓ）、画像検索画面１００の画像表示領域１０２に該当画像が一覧表示される（ステップＳ３４）。また、画像検索画面１００のページ数表示欄１１０にページ数が表示される（ステップＳ３６）。一方、該当画像がない場合には（ステップＳ３２のＮｏ）、該当画像がない旨のメッセージが液晶モニタ２０に表示された後（ステップＳ３８）、ステップＳ２２に戻り、検索条件の選択を再度受け付ける状態になる。
【００７８】
次に、ページが複数ある場合に、ページ送り／戻しの操作の有無が判断される（ステップＳ４０）。なお、ページ送り／戻しの操作は、ファンクションボタン３４を押下して、縮小画像１０２Ａを選択するための縮小画像選択モードに遷移させた後、上下シフトキー２６Ｂを上下に揺動させることにより行われる。ページ送り／戻しの操作が行われた場合には（ステップＳ４０のＹｅｓ）、ＣＰＵ５０により、ページ送り／戻しの操作に応じて別のページの縮小画像１０２Ａの表示に移行する（ステップＳ４２）。
【００７９】
また、検索条件を再設定する場合には（ステップＳ４４のＹｅｓ）、ステップＳ２２に戻り、検索条件の選択を再度受け付ける状態になる。これにより、時間帯選択、曜日選択、日付代表表示モード、１日表示モードを組み合わせた画像検索が可能になる。即ち、複数の曜日の指定、時間帯選択と日付代表表示モードの組み合わせ、時間帯選択と１日表示モードの組み合わせ、時間帯選択と曜日選択の組み合わせ、曜日選択と日付代表表示モードの組み合わせ、時間帯選択、曜日選択及び日付代表表示モードの組み合わせ等、様々な絞り込み検索が可能になる。
【００８０】
次に、縮小画像１０２Ａを選択する場合には、ファンクションボタン３４により縮小画像選択モードに遷移する（ステップＳ４６）。なお、再度ファンクションボタン３４が再度押下されると、縮小画像選択モードが解除されてステップＳ４０に戻る。そして、縮小画像１０２Ａが汎用キー２６により選択されて、ＭＥＮＵ／ＯＫボタン２８が押下されると（ステップＳ４６のＹｅｓ）、ＣＰＵ５０により、選択された画像１１６が拡大表示される。（ステップＳ４８、図５参照）。この状態で左シフトキー２６Ａ又は２６Ｃが押下されると、拡大表示画像１１６のページ送り／戻しが行われ、キャンセルボタン３０が押下されると、拡大表示が終了して縮小画像選択モード（ステップＳ４６）に戻る。
【００８１】
本実施形態によれば、撮影時期に関するユーザの記憶が曖昧な場合であっても、年、月、週、日等の細かな検索条件の設定を行うことなく、画像を撮影した時間帯や曜日等の大まかな検索条件を指定することにより、記録された大量の画像の中から所望の画像を容易に選び出すことができる。
【００８２】
また、上記の処理を行うプログラムを含むソフトウェアやファームウェアを、撮影装置のほか、パーソナルコンピュータ（ＰＣ）やビデオ再生装置（ビデオデッキ、テレビ）、画像表示機能を有するプリンタ、携帯情報端末（ＰＤＡ）、携帯フォトプレーヤー、携帯電話等の画像表示機能を有する装置に適用することにより、本発明の画像表示装置を実現することができる。
【図面の簡単な説明】
【００８３】
【図１】本発明の一実施形態に係る画像表示装置を備えた撮影装置の外観を示す斜視図
【図２】撮影装置１０の主要構成を示すブロック図
【図３】画像検索画面のデフォルトの状態を示す図
【図４】時間帯選択ボックス１０４が選択された状態を示す図
【図５】画像の拡大表示を示す図
【図６】日付代表表示モードを示す図
【図７】１日表示モードを示す図
【図８】図７の１日表示モードにおいて時間帯選択ボックス１０４が選択された状態を示す図
【図９】図８において時間帯選択インデックス１１４Ａをシフトさせた状態を示す図
【図１０】時間帯選択インデックス１１４Ａの幅を変更した状態を示す図
【図１１】画像が撮影された曜日により画像を検索する例を示す図
【図１２】図１１において「日付」ボタン１０６Ａが更に選択された状態を示す図
【図１３】時間帯選択ボタン１１８を備えた画像検索画面１００を示す図
【図１４】画像検索画面１００を用いて画像を検索する際のＣＰＵ５０における処理の流れを示すフローチャート
【符号の説明】
【００８４】
１０…撮影装置（デジタルカメラ）、１２…カメラボディ、１４…レンズ鏡筒、１６…レリーズボタン、１８…電源スイッチ、２０…表示部（液晶モニタ）、２２…ファインダ接眼窓、２４…動作モード切替スイッチ、２６…汎用キー、２６Ａ…左シフトキー、２６Ｂ…上下シフトキー、２６Ｃ…右シフトキー、２８…ＭＥＮＵ／ＯＫボタン、３０…キャンセルボタン、３２…ディスプレイボタン、３４…ファンクションボタン、５０…ＣＰＵ、５２…バス、５４…操作部、５６…電源制御回路、５８…電源電池（バッテリ）、６０…メモリ、６２…メモリ制御部、６４…タイマ、６６…カレンダ・時計部、６８…外部通信インターフェース部（外部通信Ｉ／Ｆ）、７０…光学系、７２…撮像素子、７４…Ａ／Ｄ変換器、７６…画像処理部、７８…記録メディア、８０…外部メモリ制御部、８２…フラッシュ制御回路、８４…フラッシュ発光部、１００…画像検索画面、１０２…画像表示領域、１０４…時間帯選択ボックス、１０６…閲覧モード選択ボックス、１０８…曜日選択ボックス、１１０…ページ数表示欄、１１２…情報表示欄、１１４…時間帯ゲージ、１１４Ａ…時間帯選択インデックス、１１６…拡大表示画像、１１８…時間帯選択ボタン
【図１】
0004716025.tif 000002
【図２】
0004716025.tif 000003
【図３】
0004716025.tif 000004
【図４】
0004716025.tif 000005
【図５】
0004716025.tif 000006
【図６】
0004716025.tif 000007
【図７】
0004716025.tif 000008
【図８】
0004716025.tif 000009
【図９】
0004716025.tif 000010
【図１０】
0004716025.tif 000011
【図１１】
0004716025.tif 000012
【図１２】
0004716025.tif 000013
【図１３】
0004716025.tif 000014
【図１４】
0004716025.tif 000015